(57)【要約】      （修正有）【課題】文字板上に等速で回転する針により経過時間を表示し、フロントナインとバックナインで同じ装置を用いることができるゴルフコース用時間表示装置を提供する。【解決手段】文字板２０と、文字板の上に一端側が等速で回転するように固定され文字板に平行に設けられる針３０とを有するゴルフコースごとに用いられるゴルフコース用時間表示装置Ｘにおいて、文字板には、基準位置から針の回転方向側の３６０度以下の角度を、フロントナインの９ホールを構成する各ホールごとに設定されるパーの数に比例した角度で分割した区切りが第一の円周上２１に表示されるとともに、基準位置から針の回転方向側の３６０度以下の角度を、バックナインの９ホールを構成する各ホールごとに設定されるパーの数に比例した角度で分割した区切りが第二の円周上２２に表示されるように構成する。【選択図】図１
0003186970.tif 000002
【実用新案登録請求の範囲】
【請求項１】
文字盤と、前記文字盤の上に一端側が等速で回転するように固定される前記文字盤に平行に設けられる針とを有するゴルフコースごとに用いられる時間表示装置であって、
前記文字盤には、基準位置から前記針の回転方向側の３６０度以下の角度を、フロントナインの９ホールを構成する各ホールごとに設定されるパーの数に比例した角度で分割した区切りが第一の円周上に表示されるとともに、前記基準位置から前記針の回転方向側の３６０度以下の角度を、バックナインの９ホールを構成する各ホールごとに設定されるパーの数に比例した角度で分割した区切りが第二の円周上に表示される
ゴルフコース用時間表示装置。
【考案の詳細な説明】
【技術分野】
【０００１】
本考案は、経過時間を表示する装置に関し、特に、ゴルフのプレイ中における時間の目安を提示するものに関する。
【背景技術】
【０００２】
ほとんどのゴルフ場は予約制であり、予約に際してはプレイするグループごとに想定される所要時間を踏まえて、開始時刻を調整している。しかし、実際のプレーヤーのプレイ時間はまちまちであり、後続のプレーヤーのプレイ開始時刻が遅れることがしばしば発生する。特に、セルフプレーを導入しているゴルフ場では、このようなスケジュールの乱れが頻繁に生じる。
このような問題に対応するものとして、下記特許文献１には、ゴルフ場の各ホールごとの所要時間を計算し、開始ボタンを押すと各ホールごとに所要時間までのカウントダウン及びスタートからの経過時間をデジタル表示する装置が示されている。また、下記特許文献２には、ゴルフカートに設けられ、走行距離と経過時間からプレイが遅延しているかどうかを判定し、遅延している場合は警告を表示する装置が示されている。
このような装置を使うと、プレイ時間の遅延は抑制できると考えられるが、特許文献２に記載の考案は、ある程度遅延してから警告がなされるので、その後のプレイを急かされるという問題がある。特許文献１に記載の考案では、ホールごとに所要時間までのカウントダウンが行われるので、このような問題は生じないが、複数のホールで所要時間をオーバーした場合、遅延時間が重なっていくが、ホールごとに所要時間までのカウントダウンを行うので、遅延時間の合計が把握できず、ハーフラウンド全体に想定されている所要時間に対してどの程度遅れているかを認識することが困難である。
ところで、下記特許文献３の図７には、時間表示装置のメモリを任意の角度で切り分け、各角度範囲ごとに想定される行動を示すものが示されている。このような装置を各ゴルフコースのホールに適用すれば、全体に対する遅延具合を一目で把握でき、特許文献１、２に記載の考案における問題点も解決できるものと考えられる。
【先行技術文献】
【特許文献】
【０００３】
【特許文献１】実開平6-5665号公報
【特許文献２】特開2003-284797号公報
【特許文献３】特開昭55-160887号公報
【考案の概要】
【考案が解決しようとする課題】
【０００４】
しかしながら、ゴルフ場ではハーフラウンドごとに休憩を取ることが一般的であり、フロントナインのコース構成とバックナインのコース構成は異なることから、ハーフラウンドごとに時間表示装置を設ける必要が生じる。もしくは、１８ホール分の時間を文字盤に表示するようにして、後のハーフラウンドの開始時に、１０ホール目の開始位置に針を位置づけるようにすることも考えられるが、この場合、フロントナインとバックナインで異なる開始位置に設定する必要があり、混同する可能性があるとともに、自動で２箇所の開始位置に針を位置づけるようにすると機構も複雑になるという問題が生じる。
本考案は、以上のような問題に鑑みて、文字盤上に等速で回転する針により経過時間を表示するゴルフコース専用の時間表示装置において、フロントナインとバックナインで同じ装置を用いることができるようにすることを課題とする。
【課題を解決するための手段】
【０００５】
上記課題を解決するために、本考案は次のような構成を有する。
即ち、文字盤と、前記文字盤の上に一端側が等速で回転するように固定される前記文字盤に平行に設けられる針とを有するゴルフコースごとに用いられるゴルフコース用時間表示装置において、前記文字盤には、基準位置から前記針の回転方向側の３６０度以下の角度を、フロントナインの９ホールを構成する各ホールごとに設定されるパーの数に比例した角度で分割した区切りが第一の円周上に表示されるとともに、前記基準位置から前記針の回転方向側の３６０度以下の角度を、バックナインの９ホールを構成する各ホールごとに設定されるパーの数に比例した角度で分割した区切りが第二の円周上に表示されるように構成したものである。
【考案の効果】
【０００６】
以上のような構成により、本考案は、フロントナイン、バックナインともに同じ基準位置を針の開始位置とすることができ、それぞれのハーフラウンドごとに想定されるおおよその所要時間に対してどの程度実際のプレイ時間が進んでいるのか又は遅れているのかを把握でき、さらに、全体に対するプレイの遅延具合も容易に認識することができる。
【図面の簡単な説明】
【０００７】
【図１】実施形態に係るゴルフコース用時間表示装置の正面図である。
【考案を実施するための形態】
【０００８】
以下、本考案の実施の形態について、図面を参照しながら説明する。
図１に本実施形態に係るゴルフコース用時間表示装置Ｘの正面図を示す。ゴルフコース用時間表示装置Ｘは、フレーム１０、文字板２０、針３０から構成される。フレーム１０はリング状の外枠の前面に透明な円板が嵌められたものであり、内部に文字板２０を保持固定する。フレーム１０の裏面は閉じられるとともに、内部に針３０を駆動する図示しない駆動部が内蔵されている。針３０は文字板２０の前面に文字板２０と平行に設けられる細長い板体から構成される。針３０の一端側裏面には図示しない板体に垂直に突出する突出部が設けられ、この突出部が文字板２０の中心位置で文字板２０の裏側に設けられる図示しない駆動部に固定される。針３０は駆動部により等速度で回転し、３時間で一周するように設定されている。なお、フレーム１０の背面側に駆動部に連動するリセットボタンが設けられ、リセットボタンを押すことで針３０は最上部を向くように設定されている。
【０００９】
文字板２０は中央に針３０の一端側の突出部と駆動部とが連通する孔が設けられた円板体であり、表面に所定の表示が印刷されている。文字板２０の最上部には「Start」の文字が表示され、この位置が各ハーフラウンドの針３０の開始位置であることが示されている。文字板２０には同心円状に３つのリング２１、２２、２３が表示されている。最も外側のリング２３は、針の進行方向に０度から２７０度までのエリア２３ａを青色に、２７０度から３００度のエリア２３ｂまでを黄色に、３００度から３３０度までのエリア２３ｃをオレンジに、３３０度から３６０度までエリア２３ｄを赤色に塗り分けられている。青色のエリア２３ａを針３０は２時間１５分で進む。ここではこの時間をハーフラウンドの想定所要時間としている。青色のエリア２３ａに針３０があるときは想定時間内にあることを示し、青色のエリア２３ａを越えて色が違うエリア２３ｂに入ることで遅延を警告し、１５分ごとに黄色のエリア２３ｂ、オレンジのエリア２３ｃ、赤色のエリア２３ｄと針３０が進むことで警告の度合いを視覚的に高めている。
【００１０】
真ん中のリング２１には、針の進行方向に０度から２７０度までの範囲を、フロントナインの各ホールごとに、パーの数の比例した角度で分割した区切り線が表示されている。各区切り線に挟まれるエリアには順次、ホール番号が表示されている。また、真ん中のリングの最上部にはフロントナインであることを示す「OUT」の文字が表示される。
最も内側のリング２２には、針の進行方向に０度から２７０度までの範囲を、バックナインの各ホールごとに、パーの数の比例した角度で分割した区切り線が表示されている。各区切り線に挟まれるエリアには順次、ホール番号が表示されている。また、最も内側のリングの最上部にはバックナインであることを示す「IN」の文字が表示される。なお、各ホールごとのパーの数は、ゴルフコースごとに異なるものであるので、文字板２０はゴルフコースごとに専用のものが用意されることになる。
文字板２０の最も中央には中心から上方に延びる線分２４ａ、この線分から１２０度の角度をもつ２つの線分２４ｂ、２４ｃが表示され、針３０の開始位置を越えたところから進行方向に向かって順次、実際の経過時間を示す「１」「２」「３」の文字が各線分の先端位置に表示される。
【００１１】
次に、以上のような構成を有するゴルフコース用時間表示装置Ｘの使用方法について説明する。ゴルフコース時間表示装置Ｘはゴルフカートの背面などの固定して使用する。まず、ハーフラウンドを開始するコースにおいてプレイを開始する直前に、ゴルフコース時間表示装置Ｘのリセットボタンを押して針３０の位置を最上部の開始位置とする。この位置から針３０は動き始めるので、プレイを開始する。なお、開始はフロントナイン、バックナインのいずれかから行われるので、いずれかに応じてプレーヤーはフロントナインを示すリング２１かバックナインを示すリング２２のいずれかを意識するようにする。各ホールのプレイが終わったときにプレイが終わったホール番号が、針３０の位置が示すエリアに表示されるホール番号と同じかこれよりも前のホール番号を示しているときは想定されているよりも早い時間でプレイできていることがわかる。逆に、プレイが終わったホール番号が、針３０の位置が示すエリアに表示されるホール番号よりも後のホール番号を示しているときはプレイが遅延していることがわかる。また、針３０がリング２３に対して青いエリア２３ａを越えたときは、現在プレイ中のホール番号と照らしてどの程度急ぐ必要があるのかを認識することができる。ハーフラウンドが終了して、休憩をした後は、再び、最初と同様に後半のハーフラウンドのプレイを開始する直前に、ゴルフコース時間表示装置Ｘのリセットボタンを押して針３０の位置を最上部の開始位置としてプレイを開始すればよい。
このように本実施形態に係るゴルフコース用時間表示装置Ｘは、一つのゴルフコース用時間表示装置Ｘで、フロントナインとバックナインの２つのハーフラウンドに対して、プレイ時間の基準を示すことができ、さらに、ハーフラウンド全体の想定される所要時間に対してどの程度遅れているかを容易に視認することができる。
【００１２】
なお、上記実施形態の文字板２０の表示は一例であり、各ホールごとに、パーの数に比例して３６０度以下の角度が分割されていれば、種々のデザインが採用できる。また、上記実施形態では、フロントナインとバックナインのパーの合計数が同じ一般的なゴルフコースを例示したが、フロントナインとバックナインのパーの合計数が異なるような特殊な場合でも適用できる。この場合、フロントナインを示すリング２１とバックナインを示すリング２２の終了位置はずれることになる。
【符号の説明】
【００１３】
Ｘ  ゴルフコース用時間表示装置
１０  フレーム
２０  文字板
３０  針
【図１】
0003186970.tif 000003